(57)【要約】【課題】  アクセサリーとしての装飾性を阻害したり、そのデザインの自由度を制限したりすることなく記念時刻を表示することができる記念時刻表示付きペンダントを提供するものである。【解決手段】  記念時刻表示付きペンダントは、時間ゾーン体２と分ゾーン体３を装飾的に形成した二つのリングまたは矩形体等からなるペンダント本体１を構成し、該ペンダント本体１の時間ゾーン体２と分ゾーン体３にそれぞれ記念月を表す誕生石等の特定宝石類４を時刻数字部位または所定部位に配置するように固着して記念時刻を表示してなるものである。【選択図】図１
0003135498.tif 000002
【実用新案登録請求の範囲】
【請求項１】
時間ゾーン体と分ゾーン体を装飾的に形成したリングまたは矩形体等からなるペンダント本体より構成され、該ペンダント本体の時間ゾーン体と分ゾーン体にそれぞれ誕生石等の特定宝石類を時刻数字部位または当該部位に配置固着して記念月と記念時刻の時間と分を表示してなることを特徴とする記念時刻表示付きペンダント。
【請求項２】
前記ペンダント本体は、時刻数字を刻設した時間ゾーン体と分ゾーン体とする二つのリングをクロス状に並列固定してなり、誕生石等の特定宝石類を前記時間ゾーン体と分ゾーン体にそれぞれ表示された時刻数字の部位に配置するよう固着して記念月と記念時刻の時間と分を表示してなることを特徴とする請求項１記載の記念時刻表示付きペンダント。
【請求項３】
前記ペンダント本体は、時間ゾーン体と分ゾーン体とする二つのリングを一体的に８の字状に連結固定してなり、誕生石等の特定宝石類を前記時間ゾーン体と分ゾーン体に記念時刻の当該部位に配置するよう固着して、その取付位置により記念月と記念時刻の時間と分を表示してなることを特徴とする請求項１記載の記念時刻表示付きペンダント。
【請求項４】
前記ペンダント本体は、時間ゾーン体と分ゾーン体とする大小二つのリングからなり、小径のリングを大径のリングの内側に連結固定して、時間ゾーン体と分ゾーン体に誕生石等の特定宝石類を記念時刻の当該部位に配置されるように固着して、その取付位置により記念月と記念時刻の時間と分を表示してなることを特徴とする請求項１記載の記念時刻表示付きペンダント。
【請求項５】
前記ペンダント本体は、時間ゾーン体と分ゾーン体とする大小二つのリングからなり、その表面に時刻数字を刻設した環状体の内側に連結固定される前記時間ゾーン体と分ゾーン体に誕生石等の特定宝石類を、前記環状体に表示された時刻数字の当該部位に配置されるように固着して記念月と記念時刻を表示してなることを特徴とする請求項１記載の記念時刻表示付きペンダント。
【請求項６】
前記ペンダント本体は、時間ゾーン体と分ゾーン体を共有する矩形体から形成され、誕生石等の特定宝石類を、共有する時間ゾーン体と分ゾーン体にその取付位置を齟齬して記念時刻の当該部位に配置されるように固着して、記念月と記念時刻の時間と分を表示してなることを特徴とする請求項１記載の記念時刻表示付きペンダント。
【請求項７】
前記ペンダント本体は、その表面に時刻数字を刻設した板状体の表示ゾーン体の両側に、板状体からなる時間ゾーン体と分ゾーン体を並列状に分離して形成し、前記時間ゾーン体と分ゾーン体に誕生石等の特定宝石類を、表示ゾーン体に表示されている時刻数字の当該部位に配置されるように固着して記念月と記念時刻の時間と分を表示してなることを特徴とする請求項１記載の記念時刻表示付きペンダント。
【請求項８】
前記ペンダント本体は、該当する星座を模した記号等を有する台座を連続的に取付けてなる請求項１ないし７のいずれかに記載の記念時刻表示付きペンダント。
【請求項９】
前記ペンダント本体は、その上端側にネックレスを取付けてなる請求項１ないし８のいずれかに記載の記念時刻表示付きペンダント。
【考案の詳細な説明】
【技術分野】
【０００１】  本考案は、誕生時間等の記念すべき時刻を表示するよう宝石類を装飾的に配置する記念時刻表示付きペンダントに関するものである。
【背景技術】
【０００２】  従来、貴金属（１８金）を用いて一体成形されたミニチュア時計の頂部に宝石（誕生石）を組み付け、このミニチュア時計の文字盤に記念すべき時刻を表示して、裏面にはイニシャル等を刻印してアクセサリーを構成したものがある。【０００３】  また、時計の文字盤上に、特定人の誕生時刻の時を表す短針表示と、分を表す長針表示とが互いに区別されて図的にかつ固定的に表示された時計がある。
【考案の開示】
【考案が解決しようとする課題】
【０００４】  上記のように、この種の従来の記念時刻を表示するものは、前者に見られるように、ミニチュア時計の一部に誕生石を配置してその記念時刻を表示したもので、それがミニチュアであれ時計の文字盤と長針・短針がそのベースとなって構成されていたため、時計として知覚され、装飾性が求められるペンダント等のアクセサリーとしては、その装飾性が阻害または制限される結果となっていた。【０００５】  本考案は、アクセサリーとしての装飾性を阻害したり、そのデザインの自由度を制限したりすることなく、固着される誕生石の配置位置で記念時刻を、また、使用する誕生石の種類で記念月をそれぞれ表示して、宝飾品と一体化することができる記念時刻表示付きペンダントを提供するものである。
【課題を解決するための手段】
【０００６】  上記目的を達成するため、本考案に係る記念時刻表示付きペンダントは、時間ゾーン体と分ゾーン体を装飾的に形成したリングまたは矩形体等からなるペンダント本体より構成され、該ペンダント本体の時間ゾーン体と分ゾーン体にそれぞれ誕生石等の特定宝石類を時刻数字部位または当該部位に配置固着して、記念月と記念時刻の時間と分を表示してなることを特徴とするものである。【０００７】  前記ペンダント本体は、時刻数字を刻設した時間ゾーン体と分ゾーン体とする二つのリングをクロス状に並列固定してなり、誕生石等の特定宝石類を前記時間ゾーン体と分ゾーン体にそれぞれ表示された時刻数字の部位に配置固着して記念月と記念時刻の時間と分を表示してなることを特徴とするものである。【０００８】  前記ペンダント本体は、時間ゾーン体と分ゾーン体とする二つのリングを一体的に８の字状に連結固定してなり、誕生石等の特定宝石類を前記時間ゾーン体と分ゾーン体に記念時刻の当該部位に配置するよう固着して、その取付位置により記念月と記念時刻の時間と分を表示してなることを特徴とするものである。【０００９】  前記ペンダント本体は、時間ゾーン体と分ゾーン体とする大小二つのリングからなり、小径のリングを大径のリングの内側に連結固定して、時間ゾーン体と分ゾーン体に誕生石等の特定宝石類を記念時刻の当該部位に配置されるように固着して、その取付位置により記念月と記念時刻の時間と分を表示してなることを特徴とするものである。【００１０】  前記ペンダント本体は、時間ゾーン体と分ゾーン体とする大小二つのリングからなり、その表面に時刻数字を刻設した環状体の内側に連結固定される前記時間ゾーン体と分ゾーン体に誕生石等の特定宝石類を、前記環状体に表示された時刻数字の当該部位に配置されるように固着して記念月と記念時刻を表示してなることを特徴とするものである。【００１１】  前記ペンダント本体は、時間ゾーン体と分ゾーン体を共有する矩形体から形成され、記念月を示す誕生石等の特定宝石類を、共有する時間ゾーン体と分ゾーン体にその取付位置を齟齬して記念時刻の当該部位に配置されるように固着して、その取付位置により記念時刻の時間と分を表示してなることを特徴とするものである。【００１２】  前記ペンダント本体は、その表面に時刻数字を刻設した板状体の表示ゾーン体の両側に、同形の板状体からなる時間ゾーン体と分ゾーン体を並列状に分離して形成し、前記時間ゾーン体と分ゾーン体に記念月を示す誕生石等の特定宝石類を、表示ゾーン体に表示されている時刻数字の当該部位に配置されるように固着して記念月と記念時刻の時間と分を表示してなることを特徴とするものである。【００１３】  前記ペンダント本体は、該当する星座を模した記号類を有する台座を連続的に取付けてなることを特徴とするものである。【００１４】  前記ペンダント本体は、その上端側にネックレスを取付けてなることを特徴とするものである。
【考案の効果】
【００１５】  上記の構成を有する本考案に係る記念時刻表示付きペンダントによれば、時間ゾーン体と分ゾーン体を装飾的に形成したリングまたは矩形体等からなるペンダント本体にそれぞれ誕生石等の特定宝石類を時刻数字部位または所定の当該部位に配置固着して記念時刻の時間と分を表示してなることにより、時刻表示によりアクセサリーとしての装飾性を阻害したり、そのデザインの自由度を制限したりすることなく、固着される誕生石の配置位置で記念時刻を、また、使用する誕生石の種類で記念月をそれぞれ表示して、宝飾品と一体化することができる。【００１６】  さらに、装飾的のみのデザインから、デザインに実体的な意味合い、すなわち誕生や結婚等の身につける個人のみがもつ特別な記念時刻を表示することにより、一層ペンダントしての宝飾品の価値を高めることができる。【００１７】  さらに、時刻を直感させる時計をイメージすることなく、装飾性を基本として個人の持つ記念時刻のイメージを、配置された宝石類によって表現されることができると共に一般的な宝飾品に見られない身につける個人の付加価値を高めることができる。【００１８】  さらに、より装飾性、ファッション性を備えることによって、一般的な記念品に見られるその感動が一時期に限られず、長期間にわたってその感動を表現して維持することができる。【００１９】  さらに、当該星座を模した記号を有する台座を連続的に取付けてなることにより、記念時刻を表示する誕生石等の特定宝石類と共に星座を組み合わせることで、より鮮明に記念時刻を認識することができる。
【考案を実施するための最良の形態】
【００２０】  以下本考案に係る記念時刻表示付きペンダントにつき、添付図面の図１ないし図６を用いて説明する。【００２１】  本考案に係る記念時刻表示付きペンダントは、図１ないし図６に示すように、時間ゾーン体２と分ゾーン体３を装飾的に形成した二つのリングまたは矩形体等からペンダント本体１を形成し、該ペンダント本体１の時間ゾーン体２と分ゾーン体３にそれぞれ誕生石等の特定宝石類４、４を時刻数字６部位または所定部位に配置するように固着して記念月と記念時刻の時間と分を表示して構成されるものである。【００２２】  前記ペンダント本体１は、一般的な宝石類の基台と同様の金、銀、プラチナあるいはメッキ等の表面処理された材料が使用され、誕生石等の宝石類はペンダント本体１と同様の、または異種の貴金属枠７を介して取付けられ、さらにこのペンダント本体１は、その上端側にネックレス５を設けてなるものである。【００２３】  図１に示すペンダント本体１は、時刻数字６を刻設した短針をイメージさせるやや小径のリングを用いた時間ゾーン体２と、この時間ゾーン体２よりやや大径のリングを用いて長針をイメージさせる分ゾーン体３とする二つのリングをクロス状に並列して連結固定してなり、記念時刻の時間と分を表示する誕生石等の特定宝石類４、４を前記時間ゾーン体２と分ゾーン体３に、それぞれ表示された時刻数字６の当該部位に配置されるように固着して記念月と記念時刻の時間と分を表示するものである。【００２４】  図２に示すペンダント本体１は、図１に示すペンダント本体１と同様に、やや径の異なる時間ゾーン体２と分ゾーン体３とする二つのリングを一体的に８の字状に形成され、記念月を示す誕生石等の特定宝石類４、４を前記時間ゾーン体２と分ゾーン体３の内側壁の当該部位に配置するように固着して、その取付位置により記念時刻の時間と分を表示するものである。【００２５】  図３に示すペンダント本体１は、時間ゾーン体２と分ゾーン体３とを長針と短針をイメージさせる大小二つのリングからなり、小径のリングを大径のリングの内側に連結固定して、記念月を示す誕生石等の特定宝石類４、４を、時間ゾーン体２と分ゾーン体３の外側壁の当該部位に配置されるよう固定して、その取付位置により記念時刻の時間と分を表示しているものである。【００２６】  図４に示すペンダント本体１は、時間ゾーン体２と分ゾーン体３とを長針と短針をイメージさせる大小二つのリングからなり、その表面に時刻数字６を刻設した環状体８の内側に、前記時間ゾーン体２と分ゾーン体３に記念月を示す誕生石等の特定宝石類４、４を、環状体８に表示された時刻数字６の対応部位に配置されるように固着して記念時刻の時間と分を表示してなるものである。【００２７】  図５に示すペンダント本体１は、時間ゾーン体２と分ゾーン体３を共有する矩形体から形成され、記念月を示す２つの誕生石等の特定宝石類４、４を齟齬させて、一方を前記時間ゾーン体２としてその内側壁に、また他方を分ゾーン体３としてその上面にそれぞれ記念時刻となる当該部位に配置されるように固着して、その取付位置により記念時刻の時間と分を表示するものである。【００２８】  なお、図５に示すペンダント本体１において、記念時間を示す特定宝石類４を時間ゾーン体２としての内側壁に、また、記念分を示す特定宝石類４を分ゾーン体３としての上面に齟齬して配置固着することによって、時間と分を表す特定宝石類４、４が重なり合うことを避けるものであるが、これに限らず、時間ゾーン体２と分ゾーン体３への特定宝石類４、４の取付位置を逆にしたり、特定宝石類４、４の大きさや形を変えてその上面に並列して配置したりするものであってもよい。【００２９】  図６に示すペンダント本体１は、その表面に時刻数字６を縦方向に刻設した板状体の表示ゾーン体９の両側に、長方形状の板状体からなる時間ゾーン体２と分ゾーン体３をそれぞれ分離して並列状に形成して、前記時間ゾーン体２と分ゾーン体３の上面に記念月を示す誕生石等の特定宝石類４、４を表示ゾーン体８に表示された時刻数字６の対応部位に配置されるようにそれぞれ固着して記念時刻の時間と分を表示してなるものである。【００３０】  図２に示すように、誕生石等の特定宝石類４、４によってその誕生月を表示する以外、誕生月の星座を模した記号類１０を有する台座１１をペンダント本体１に一体又は一体となるように連続的に取付けることによって、誕生石と共に記念月をさらに明確に表示することができるものである。
【図面の簡単な説明】
【００３１】
【図１】  本考案に係る記念時刻表示付きペンダントを構成するペンダント本体を二つのリング体とする正面略示図。
【図２】  二つのリング体を８の字状に形成するペンダント本体を示す正面略示図。
【図３】  大小二つのリング体からなるペンダント本体を示す正面略示図。
【図４】  大小二つのリング体を環状体に内設してなるペンダント本体を示す正面略示図。
【図５】  矩形体から形成されるペンダント本体を示す正面略示図。
【図６】  二つの長方形状の板状体から形成されるペンダント本体を示す正面略示図。
【符号の説明】
【００３２】  １            ペンダント本体
２            時間ゾーン体
３            分ゾーン体
４            誕生石等の特定宝石類
５            ネックレス
６            時刻数字
７            金属枠
８            環状体
９            表示ゾーン体
１０          星座を模した記号類
１１          台座
【図１】
0003135498.tif 000003
【図２】
0003135498.tif 000004
【図３】
0003135498.tif 000005
【図４】
0003135498.tif 000006
【図５】
0003135498.tif 000007
【図６】
0003135498.tif 000008